(57)【要約】【課題】光源装置本体を光源装置用筐体に対して確実に位置決めすることができる光源装置の提供。【解決手段】光源装置４１は、リフレクタ４１２を有する光源装置本体４１Ａと、光源装置本体４１Ａを収納するランプハウジング４１４とを備える。ランプハウジング４１４は、第１ハウジング５と、第２ハウジング６と、付勢部材７とを備える。第１ハウジング５は、ランプハウジング４１４に対する光源装置本体４１ＡのＺ軸方向の位置決め基準とされる光軸方向基準面と、第２ハウジング６に固定される第１固定部とを備える。第２ハウジング６は、第１ハウジング５に固定される第２固定部６１を備える。付勢部材７は、第１固定部、及び第２固定部６１にて挟持される被挟持部７１と、リフレクタ４１２を光軸方向基準面に向けて押圧する光軸方向押圧部７２とを備える。【選択図】図２
2009211974.tif 000002
【特許請求の範囲】
【請求項１】
光源ランプ、及び前記光源ランプから射出される光を一定の射出方向に揃えるリフレクタを有する光源装置本体と、前記光源装置本体を収納する光源装置用筐体とを備える光源装置であって、
前記光源装置用筐体は、
前記射出方向側に配設される第１筐体と、
前記射出方向とは反対側に配設される第２筐体と、
前記第１筐体、及び前記第２筐体の間に介在配置され、前記光源装置本体を付勢する付勢部材とを備え、
前記第１筐体は、
前記リフレクタから射出される光の光軸に略直交し、前記リフレクタに当接することで前記光源装置用筐体に対する前記光源装置本体の前記光軸方向の位置決め基準とされる光軸方向基準面と、
前記第２筐体に固定される第１固定部とを備え、
前記第２筐体は、
前記第１固定部に固定されることで前記第１筐体、及び前記第２筐体を一体化する第２固定部を備え、
前記付勢部材は、
前記第１固定部、及び前記第２固定部にて挟持される被挟持部と、
前記リフレクタを前記光軸方向基準面に向けて押圧する光軸方向押圧部を備えることを特徴とする光源装置。
【請求項２】
請求項１に記載の光源装置において、
前記第１筐体は、
前記光軸方向基準面に略直交するとともに、互いに略直交し、前記リフレクタに当接することで前記光源装置用筐体に対する前記光源装置本体の前記光軸に直交する２軸方向の位置決め基準とされる２つの直交方向基準面を備え、
前記付勢部材は、
前記リフレクタを前記各直交方向基準面に向けて押圧する直交方向押圧部を備えることを特徴とする光源装置。
【請求項３】
請求項１または請求項２に記載の光源装置において、
前記リフレクタには、前記光軸から離間する外側に向かって張り出す枠状の張出部が形成され、
前記付勢部材は、前記張出部に応じた枠状に形成され、前記張出部のほぼ全周にわたり当接する当接部を備えることを特徴とする光源装置。
【請求項４】
請求項１から請求項３のいずれかに記載の光源装置と、前記光源装置から射出された光を、入力される画像情報に応じて変調して画像光を形成する光変調装置と、前記光変調装置にて形成された画像光を拡大投射する投射光学装置とを備えることを特徴とするプロジェクタ。
【発明の詳細な説明】
【技術分野】
【０００１】
本発明は、光源装置、及びプロジェクタに関する。
【背景技術】
【０００２】
従来、光源ランプ、及び光源ランプから射出される光を一定の射出方向に揃えるリフレクタを有する光源装置本体と、光源装置本体を収納する光源装置用筐体とを備える光源装置が知られている。そして、このような光源装置では、光源装置本体は、光源装置用筐体に対して所定位置に位置決めされている（例えば、特許文献１参照）。
特許文献１に記載の光源装置では、複数の板バネを用いることでリフレクタをランプハウジング（光源装置用筐体）に対して付勢し、光源装置本体をランプハウジングに対して所定位置に位置決めしている。
【０００３】
【特許文献１】特開２００３−２８７８１２号公報
【発明の開示】
【発明が解決しようとする課題】
【０００４】
しかしながら、特許文献１に記載の光源装置では、光源装置に衝撃が加わることで板バネの位置が移動したり、脱落したりする場合があり、このような場合には、光源装置本体のランプハウジングに対する位置決めが不十分になるという問題がある。
【０００５】
本発明の目的は、光源装置本体を光源装置用筐体に対して確実に位置決めすることができる光源装置、及びプロジェクタを提供することにある。
【課題を解決するための手段】
【０００６】
本発明の光源装置は、光源ランプ、及び前記光源ランプから射出される光を一定の射出方向に揃えるリフレクタを有する光源装置本体と、前記光源装置本体を収納する光源装置用筐体とを備える光源装置であって、前記光源装置用筐体は、前記射出方向側に配設される第１筐体と、前記射出方向とは反対側に配設される第２筐体と、前記第１筐体、及び前記第２筐体の間に介在配置され、前記光源装置本体を付勢する付勢部材とを備え、前記第１筐体は、前記リフレクタから射出される光の光軸に略直交し、前記リフレクタに当接することで前記光源装置用筐体に対する前記光源装置本体の前記光軸方向の位置決め基準とされる光軸方向基準面と、前記第２筐体に固定される第１固定部とを備え、前記第２筐体は、前記第１固定部に固定されることで前記第１筐体、及び前記第２筐体を一体化する第２固定部を備え、前記付勢部材は、前記第１固定部、及び前記第２固定部にて挟持される被挟持部と、前記リフレクタを前記光軸方向基準面に向けて押圧する光軸方向押圧部を備えることを特徴とする。
【０００７】
このような構成によれば、付勢部材は、第１筐体、及び第２筐体の間に介在配置され、第１固定部、及び第２固定部に挟持される被挟持部と、リフレクタを光軸方向基準面に向けて押圧する光軸方向押圧部とを備えるので、光源装置に衝撃が加わっても位置が移動したり、脱落したりすることがない。また、光源装置本体は、光軸方向押圧部にて付勢され、リフレクタが光軸方向基準面に当接することで光源装置用筐体に対して光軸方向（以下、Ｚ軸方向とする）に位置決めされる。したがって、光源装置本体を光源装置用筐体に対して確実に位置決めすることができる。
【０００８】
本発明では、前記第１筐体は、前記光軸方向基準面に略直交するとともに、互いに略直交し、前記リフレクタに当接することで前記光源装置用筐体に対する前記光源装置本体の前記光軸に直交する２軸方向の位置決め基準とされる２つの直交方向基準面を備え、前記付勢部材は、前記リフレクタを前記各直交方向基準面に向けて押圧する直交方向押圧部を備えることが好ましい。
【０００９】
このような構成によれば、光源装置本体は、直交方向押圧部にて付勢され、リフレクタが直交方向基準面に当接することで光源装置用筐体に対して光軸に直交する２軸方向（以下、Ｘ軸方向、及びＹ軸方向とする）に位置決めされる。すなわち、光源装置本体は、光源装置用筐体に対してＸ，Ｙ，Ｚ軸の３軸方向に位置決めされる。したがって、光源装置本体を光源装置用筐体に対して更に確実に位置決めすることができる。
なお、付勢部材は、複数の直交方向押圧部を備え、各直交方向押圧部にてリフレクタを各直交方向基準面に向けてそれぞれ押圧してもよく、１つの直交方向押圧部を備え、この直交方向押圧部による押圧方向を調整することでリフレクタを各直交方向基準面に向けて押圧してもよい。
【００１０】
本発明では、前記リフレクタには、前記光軸から離間する外側に向かって張り出す枠状の張出部が形成され、前記付勢部材は、前記張出部に応じた枠状に形成され、前記張出部のほぼ全周にわたり当接する当接部を備えることが好ましい。
【００１１】
ここで、前述したように、複数の板バネを用いることでリフレクタを光源装置用筐体に対して付勢し、光源装置本体を光源装置用筐体に対して所定位置に位置決めすると、各板バネは、リフレクタに対して部分的に当接しているのみとなる。したがって、例えば、各板バネ、及びリフレクタが当接していない部分において、リフレクタに割れが発生した場合には、リフレクタの一部が脱落する場合があるという問題がある。
【００１２】
本発明によれば、リフレクタには、光軸から離間する外側に向かって張り出す枠状の張出部が形成され、付勢部材は、この張出部のほぼ全周にわたり当接する当接部を備えるので、リフレクタに割れが発生した場合であってもリフレクタの一部が脱落することがなく、光源装置を好適に利用することができる。
なお、当接部は、Ｚ軸方向において対向した状態で張出部に当接してもよく、Ｘ，Ｙ軸方向において対向した状態で張出部に当接してもよい。また、当接部は、Ｚ軸方向において対向した状態で張出部に当接する部分と、Ｘ，Ｙ軸方向において対向した状態で張出部に当接する部分とを組み合わせることで全周にわたり張出部に当接してもよい。
【００１３】
本発明のプロジェクタは、前述した光源装置と、前記光源装置から射出された光を、入力される画像情報に応じて変調して画像光を形成する光変調装置と、前記光変調装置にて形成された画像光を拡大投射する投射光学装置とを備えることを特徴とする。
本発明では、プロジェクタは、前述した光源装置を備えているので、前述した光源装置と同様の作用効果を享受できる。
【発明を実施するための最良の形態】
【００１４】
以下、本発明の一実施形態を図面に基づいて説明する。
〔プロジェクタの概略構成〕
図１は、プロジェクタ１の概略構成を示す模式図である。
プロジェクタ１は、光源から射出される光を画像情報に応じて変調してカラー画像（画像光）を形成し、このカラー画像をスクリーン等の投射面（図示略）上に拡大投射する。このプロジェクタ１は、図１に示すように、略直方体状の外装筐体２と、投射レンズ３と、光学ユニット４等を備える。
投射光学装置としての投射レンズ３は、複数のレンズを組み合わせた組レンズとして構成され、後述する光学ユニット４にて形成されたカラー画像をスクリーン等の投射面上に拡大投射する。
【００１５】
なお、図１において、具体的な図示は省略したが、外装筐体２内における投射レンズ３、及び光学ユニット４以外の空間には、プロジェクタ１内部の各構成部材を冷却する冷却ファン等を備えた冷却ユニット、プロジェクタ１内部の各構成部材に電力を供給する電源ユニット、及びプロジェクタ１内部の各構成部材を制御する制御ユニット等が配置されている。
【００１６】
光学ユニット４は、前述した制御ユニットによる制御の下、光源から射出された光を光学的に処理することで画像情報に応じたカラー画像を形成するユニットである。この光学ユニット４は、光源装置４１と、照明光学装置４２と、色分離光学装置４３と、リレー光学装置４４と、光学装置４５と、これらの各光学部品４１〜４５を内部に設定された照明光軸Ａに対する所定位置に配置する光学部品用筐体４６とを備える。
【００１７】
光源装置４１は、光を射出する光源ランプ４１１、及び光源ランプ４１１から射出される光を一定の射出方向に揃えるリフレクタ４１２を有する光源装置本体４１Ａと、リフレクタ４１２にて射出方向が揃えられた光を平行化する平行化凹レンズ４１３とを備える。そして、平行化凹レンズ４１３にて平行化された光は、照明光学装置４２に向けて射出される。
また、光源装置４１は、光学部品用筐体４６に接続するとともに、これらの各部材４１１〜４１３を収納するランプハウジング４１４を備える。そして、これらの各部材４１１〜４１３は、ランプハウジング４１４に収納配置されることで、光学部品用筐体４６に対する所定位置（光源装置４１から射出される光の光軸と光学部品用筐体４６内に設定された照明光軸Ａとが一致する位置）に位置決めされる。なお、光源装置４１については後に詳述する。
【００１８】
照明光学装置４２は、第１レンズアレイ４２１、第２レンズアレイ４２２、偏光変換素子４２３、及び重畳レンズ４２４を備える。そして、光源装置４１から射出された光は、第１レンズアレイ４２１によって複数の部分光に分割され、第２レンズアレイ４２２の近傍で結像する。第２レンズアレイ４２２から射出された各部分光は、その中心軸（主光線）が偏光変換素子４２３の入射面に垂直となるように入射し、偏光変換素子４２３にて略１種類の直線偏光として射出される。偏光変換素子４２３から直線偏光として射出され、重畳レンズ４２４を介した複数の部分光は、光学装置４５の後述する３つの光変調装置４５１上で重畳する。
【００１９】
色分離光学装置４３は、２つのダイクロイックミラー４３１，４３２、及び反射ミラー４３３を備え、照明光学装置４２から射出された複数の部分光を赤、緑、青の３色の色光に分離する機能を有する。
リレー光学装置４４は、入射側レンズ４４１、リレーレンズ４４３、及び反射ミラー４４２，４４４を備え、色分離光学装置４３にて分離された各色光を、光学装置４５の後述する各光変調装置４５１まで導く機能を有する。
【００２０】
光学装置４５は、入射した光を画像情報に応じて変調してカラー画像を形成するものである。この光学装置４５は、３つの光変調装置４５１（赤色光側の光変調装置を４５１Ｒ、緑色光側の光変調装置を４５１Ｇ、青色光側の光変調装置を４５１Ｂとする）と、各光変調装置４５１の光路前段側に配置される入射側偏光板４５２と、各光変調装置４５１の光路後段側に配置される射出側偏光板４５３と、クロスダイクロイックプリズム４５４とを備える。
【００２１】
各入射側偏光板４５２は、偏光変換素子４２３で揃えられた偏光方向と略同一の偏光方向を有する光のみ透過させ、その他の光を吸収するものであり、透光性基板上に偏光膜が貼付されて構成されている。
各光変調装置４５１は、一対の透明なガラス基板に電気光学物質である液晶が密閉封入された構成を有し、前述した制御ユニットからの駆動信号によって液晶の配向状態が制御されることで入射側偏光板４５２から射出された光の偏光方向を変調する。
各射出側偏光板４５３は、入射側偏光板４５２と略同様の機能を有し、光変調装置４５１にて変調された光のうち、一定の偏光方向を有する光を透過し、その他の光を吸収する。
【００２２】
クロスダイクロイックプリズム４５４は、各射出側偏光板４５３から射出された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これらの誘電体多層膜は、光変調装置４５１Ｇから射出され射出側偏光板４５３を介した色光を透過し、光変調装置４５１Ｒ，４５１Ｂから射出され射出側偏光板４５３を介した各色光を反射する。このようにして、各色光が合成されてカラー画像が形成される。そして、クロスダイクロイックプリズム４５４で形成されたカラー画像は、前述した投射レンズ３にて拡大投射される。
【００２３】
〔光源装置の詳細構成〕
図２は、光源装置４１を斜め前方側から見た分解斜視図である。図３は、光源装置４１を斜め後方側から見た分解斜視図である。なお、図２、及び図３では、照明光軸Ａ（図１参照）をＺ軸とし、このＺ軸に直交する２軸をそれぞれＸ軸、及びＹ軸として説明する。以下の図面についても同様である。
光源装置本体４１Ａは、前述した光源ランプ４１１、及びリフレクタ４１２の他、図２、及び図３に示すように、光源ランプ４１１における各リード線４１１Ａと接続する略直方体状のコネクタ４１５を備える。
コネクタ４１５は、電力の供給を受けるためのものであり、光源装置４１を光学部品用筐体４６（図１参照）に取り付けることで光学部品用筐体４６に設けられたコネクタ（図示略）と接続され、接続されることで前述した電源ユニットから光源ランプ４１１に電力が供給される。
【００２４】
光源装置用筐体としてのランプハウジング４１４は、図２、及び図３に示すように、光源装置本体４１Ａによる光の射出方向Ｂ側（＋Ｚ軸方向側）に配設される第１ハウジング５と、射出方向Ｂとは反対側（−Ｚ軸方向側）に配設される第２ハウジング６と、第１ハウジング５、及び第２ハウジング６の間に介在配置される付勢部材７とを備える。
第１筐体としての第１ハウジング５は、略角筒状に形成され、光源装置本体４１Ａの前方側（＋Ｚ軸方向側）を覆う部材である。この第１ハウジング５における前面（＋Ｚ軸方向側の面）には、図２に示すように、略円形状の開口部５１が形成され、この開口部５１には、平行化凹レンズ４１３が嵌め込まれて固定されている。
【００２５】
また、第１ハウジング５における上面（＋Ｙ軸方向側の面）前方側には、上方側（＋Ｙ軸方向側）に向かって延出した後、前方側に向かって延出する２つの延出部５２がＸ軸方向の両端にそれぞれ形成されている。そして、各延出部５２の上面には、略中央部分に挿通孔（図示略）が形成され、光源装置本体４１Ａは、この挿通孔に挿通されたネジ５３を光学部品用筐体４６に設けられたネジ孔（図示略）に螺合させることで光学部品用筐体４６に固定される。
さらに、第１ハウジング５における後方側（−Ｚ軸方向側）の端部には、図３に示すように、略矩形枠状の開口部５４が形成されている。この開口部５４の四隅部分には、第２ハウジング６に固定される第１固定部５４１がそれぞれ設けられている。そして、各第１固定部５４１には、Ｚ軸方向に沿ってネジ孔５４１Ａがそれぞれ形成されている。
【００２６】
第２筐体としての第２ハウジング６は、断面略コ字状に形成され、光源装置本体４１Ａの上方側、下方側（−Ｙ軸方向側）、及び後方側を覆う部材である。この第２ハウジング６における前方側の端部には、図３に示すように、第１ハウジング５に固定される第２固定部６１が各第１固定部５４１に対応する位置にそれぞれ設けられている。そして、各第２固定部６１には、各ネジ孔５４１Ａに対応する位置に、孔６１Ａがそれぞれ形成されている。
【００２７】
付勢部材７は、略矩形枠状に形成され、光源装置本体４１Ａを第１ハウジング５に対して付勢する部材である。この付勢部材７の四隅部分には、第１固定部５４１、及び第２固定部６１にて挟持される被挟持部７１がそれぞれ設けられている。そして、各被挟持部７１には、各ネジ孔５４１Ａ、及び孔６１Ａに対応する位置に、孔７１Ａがそれぞれ形成されている。
そして、第１ハウジング５、第２ハウジング６、及び付勢部材７は、４つのネジ４１９（図６参照）を各孔６１Ａ、及び各孔７１Ａを介して各ネジ孔５４１Ａに螺合することで一体化される。
【００２８】
〔光源装置本体、及びランプハウジングの位置決め構造〕
図４は、リフレクタ４１２を前方側から見た斜視図である。
リフレクタ４１２は、図４に示すように、略半球状に形成され、光源ランプ４１１から射出される光を反射することで一定の射出方向に揃える反射部４１６と、反射部４１６における前方側の端部に形成され、リフレクタ４１２から射出される光の光軸（Ｚ軸）から外側に向かって張り出す略矩形枠状の張出部４１７と、Ｚ軸に略直交する前面４１８Ａを有し、反射部４１６と、張出部４１７の四隅部分との間を接続する接続部４１８とを備える。前面４１８Ａはリフレクタ４１２における光軸方向の基準面である。
また、張出部４１７は、前面４１７Ａと、前面４１７ＡからＺ軸に沿って後方側にそれぞれ延出する内側面４１７Ｂ、及び外側面４１７Ｃとを有している。内側面４１７Ｂのうち、４１７Ｂｘ，４１７Ｂｙは、それぞれリフレクタ４１２におけるＸ方向、及びＹ方向の基準面である。
【００２９】
図５は、第１ハウジング５を後方側から見た斜視図である。
第１ハウジング５は、図３、及び図５に示すように、リフレクタ４１２の張出部４１７に対向し、開口部５４に沿って設けられる対向部５５を備える。この対向部５５の四隅部分には、断面略台形状の突出部５５１がそれぞれ設けられている。
各突出部５５１は、リフレクタ４１２側（−Ｚ軸方向側）に突出した形状とされ、各突出部５５１の突出量は、張出部４１７の内側面４１７ＢにおけるＺ軸方向の長さ以上に設定されている。また、各突出部５５１は、Ｚ軸に略直交して形成される光軸方向基準面５５１Ａを有し、図５中左側の２つの突出部５５１は、Ｘ軸に略直交して形成されるＸ軸方向基準面５５１Ｂをそれぞれ有し、図５中下側の２つの突出部５５１は、Ｙ軸に略直交して形成されるＹ軸方向基準面５５１Ｃをそれぞれ有している。なお、各Ｘ軸方向基準面５５１Ｂ、及び各Ｙ軸方向基準面５５１Ｃは、各光軸方向基準面５５１Ａに略直交するとともに、互いに略直交している。
【００３０】
図６は、第１ハウジング５、第２ハウジング６、及び付勢部材７を一体化させた状態を示す図である。ここで、図６（Ａ）は、光源装置４１を後方側から見た図であり、図６（Ｂ）は、図６（Ａ）におけるＴ−Ｔでの縦断面図である。
各光軸方向基準面５５１Ａは、図６に示すように、リフレクタ４１２における光軸方向の基準面である前面４１８Ａに当接することで第１ハウジング５に対する光源装置本体４１ＡのＺ軸方向の位置決めがなされる。なお、各突出部５５１の突出量は、張出部４１７の内側面４１７Ｂ（図４参照）におけるＺ軸方向の長さ以上に設定されているので、各光軸方向基準面５５１Ａ、及び前面４１８Ａが当接した状態において、第１ハウジングの対向部５５と、リフレクタ４１２の張出部４１７とは互いに非接触となる。
【００３１】
図７は、第１ハウジング５にリフレクタ４１２を当接させた状態を示す図である。なお、図７では、図５中左下側の突出部５５１の近傍部分を拡大して示し、他の突出部５５１の図示を省略している。
直交方向基準面としての各Ｘ軸方向基準面５５１Ｂ、及び各Ｙ軸方向基準面５５１Ｃは、図７に示すように、リフレクタ４１２におけるＸ方向、及びＹ方向の基準面である４１７Ｂｘ，４１７Ｂｙに当接することで第１ハウジング５に対する光源装置本体４１ＡのＸ軸、及びＹ軸の２軸方向の位置決めがなされる。
【００３２】
図８は、付勢部材７を前方側から見た平面図である。図９は、付勢部材７を光源装置本体４１Ａに当接させた状態を斜め後方側から見た斜視図である。
付勢部材７は、前述した各被挟持部７１の他、図２、及び図８に示すように、対向する２箇所の被挟持部７１に形成される２つの光軸方向押圧部７２と、光軸方向押圧部７２が形成された各被挟持部７１とは異なる被挟持部７１に形成される直交方向押圧部７３と、各被挟持部７１の間に配置され、後方側に向かって延出する略矩形板状の４つの延出部７４とを備える。
【００３３】
各光軸方向押圧部７２は、図２に示すように、前方側に向かって突出して形成される板バネ状の部分である。
直交方向押圧部７３は、図２、及び図９に示すように、斜め後方側に向かって延出して形成される板バネ状の部分である。また、直交方向押圧部７３は、図２、及び図８に示すように、付勢部材７の略中央に向かって延出して形成される。
そして、第１ハウジング５、第２ハウジング６、及び付勢部材７を一体化するに際しては、図６に示すように、第１ハウジング５の各光軸方向基準面５５１Ａと、リフレクタ４１２における接続部４１８の前面４１８Ａとを当接させるとともに、光源装置本体４１Ａの後方側から付勢部材７、及び第２ハウジング６を嵌合させた状態で一体化される。
【００３４】
ここで、第１ハウジング５、第２ハウジング６、及び付勢部材７を一体化すると、図９に示すように、付勢部材７は、光源装置本体４１Ａに当接する。
具体的に、各光軸方向押圧部７２は、それぞれ張出部４１７に後方側から当接する。この際、各光軸方向押圧部７２は、前方側、すなわち各光軸方向基準面５５１Ａ（図６参照）に向けて押圧する。
また、直交方向押圧部７３は、反射部４１６に後方側から当接する。この際、直交方向押圧部７３は、反射部４１６を押圧し、リフレクタ４１２を＋Ｘ軸方向側、及び＋Ｙ軸方向側、すなわち、各Ｘ軸方向基準面５５１Ｂ、及び各Ｙ軸方向基準面５５１Ｃ（図７参照）に向けて押圧する。
さらに、各被挟持部７１は、Ｚ軸方向において対向した状態で張出部４１７に当接し、延出部７４は、Ｘ，Ｙ軸方向において対向した状態で外側面４１７Ｃに当接する。すなわち、本実施形態では、当接部は、被挟持部７１、及び延出部７４で構成され、張出部４１７のほぼ全周にわたり当接している。
【００３５】
以上のような本実施形態によれば、以下の効果がある。
（１）付勢部材７は、被挟持部７１と、光軸方向押圧部７２とを備えるので、光源装置４１に衝撃が加わっても位置が移動したり、脱落したりすることがない。また、光源装置本体４１Ａは、光軸方向押圧部７２にて付勢され、リフレクタ４１２における接続部４１８の前面４１８Ａが各光軸方向基準面５５１Ａに当接することでランプハウジング４１４に対してＺ軸方向に位置決めされる。したがって、光源装置本体４１Ａをランプハウジング４１４に対して確実に位置決めすることができる。
【００３６】
（２）光源装置本体４１Ａは、直交方向押圧部７３にて付勢され、リフレクタ４１２における張出部４１７の内側面４１７Ｂが各Ｘ軸方向基準面５５１Ｂ、及び各Ｙ軸方向基準面５５１Ｃに当接することでランプハウジング４１４に対してＸ軸方向、及びＹ軸方向に位置決めされる。すなわち、光源装置本体４１Ａは、ランプハウジング４１４に対してＸ，Ｙ，Ｚ軸の３軸方向に位置決めされる。したがって、光源装置本体４１Ａをランプハウジング４１４に対して更に確実に位置決めすることができる。
（３）リフレクタ４１２には、張出部４１７が形成され、付勢部材７は、この張出部４１７のほぼ全周にわたり当接する被挟持部７１、及び延出部７４を備えるので、リフレクタ４１２に割れが発生した場合であってもリフレクタ４１２の一部が脱落することがなく、光源装置４１を好適に利用することができる。
【００３７】
〔実施形態の変形〕
なお、本発明は前述の実施形態に限定されるものではなく、本発明の目的を達成できる範囲での変形、改良等は本発明に含まれるものである。
前記実施形態では、付勢部材７は、各光軸方向押圧部７２、及び直交方向押圧部７３を備えていたが、光軸方向押圧部のみを備える構成としてもよい。しかしながら、光源装置本体は、光源装置用筐体に対してＸ，Ｙ，Ｚ軸の３軸方向に位置決めされることが望ましく、付勢部材は、光軸方向押圧部、及び直交方向押圧部を備える本発明の構成が好ましい。
前記実施形態では、付勢部材７において、光軸方向押圧部７２、及び直交方向押圧部７３は、板バネ状に形成されていたが、他の形状とされていてもよい。さらには、基板上にバネ部材を固定する等して付勢部材を構成してもよい。要するに、付勢部材は、第１筐体、及び第２筐体の間に介在配置され、光源装置本体を付勢する部材であればよい。
【００３８】
前記実施形態では、直交方向押圧部７３は、斜め後方側に向かって延出して形成され、押圧方向を調整することでリフレクタ４１２を各Ｘ軸方向基準面５５１Ｂ、及び各Ｙ軸方向基準面５５１Ｃに向けて押圧していた。これに対して、例えば、各直交方向基準面に向けてそれぞれ押圧する２つの直交方向押圧部を備える構成としてもよい。要するに、直交方向押圧部は、リフレクタを各直交方向基準面に向けて押圧することができればよい。
前記実施形態では、付勢部材７は、Ｚ軸方向において対向した状態で張出部４１７に当接する各被挟持部７１と、Ｘ，Ｙ軸方向において対向した状態で外側面４１７Ｃに当接する延出部７４とを備え、各被挟持部７１と、各延出部７４とで当接部を構成していた。これに対して、例えば、付勢部材は、Ｚ軸方向においてのみ対向した状態で張出部に当接する当接部を備えていてもよい。要するに、付勢部材は、張出部の全周にわたり当接する当接部を備えていればよい。なお、付勢部材は、当接部を備えていなくてもよい。
【００３９】
前記実施形態では、プロジェクタ１は、３つの光変調装置４５１を備えていたが、光変調装置を２つ備えるプロジェクタや、光変調装置を４つ以上備えるプロジェクタとして構成してもよい。
前記実施形態では、光変調装置４５１は、一対の透明なガラス基板に電気光学物質である液晶が密閉封入され、入射光を透過する構成を採用していたが、これに限らず、入射光を反射する構成の液晶パネル、あるいは、ＤＭＤ(Digital Micromirror Device)(米国テキサスインスツルメント社の商標)等を採用してもよい。
前記実施形態では、光源装置４１を備えるプロジェクタ１を例示したが、例えば、本発明の光源装置をリアプロジェクタ等の他の光学機器に適用してもよい。
【産業上の利用可能性】
【００４０】
本発明は、光源装置に利用でき、特に、プロジェクタに用いられる光源装置に好適に利用できる。
【図面の簡単な説明】
【００４１】
【図１】プロジェクタの概略構成を示す模式図。
【図２】光源装置を斜め前方側から見た分解斜視図。
【図３】光源装置を斜め後方側から見た分解斜視図。
【図４】リフレクタを前方側から見た斜視図。
【図５】第１ハウジングを後方側から見た斜視図。
【図６】第１ハウジング、第２ハウジング、及び付勢部材を一体化させた状態を示す図。
【図７】第１ハウジングにリフレクタを当接させた状態を示す図。
【図８】付勢部材を前方側から見た平面図。
【図９】付勢部材を光源装置本体に当接させた状態を斜め後方側から見た斜視図。
【符号の説明】
【００４２】
１…プロジェクタ、３…投射レンズ（投射光学装置）、５…第１ハウジング（第１筐体）、６…第２ハウジング（第２筐体）、７…付勢部材、４１…光源装置、４１Ａ…光源装置本体、５５１Ａ…光軸方向基準面、５５１Ｂ…Ｘ軸方向基準面（直交方向基準面）、５５１Ｃ…Ｙ軸方向基準面（直交方向基準面）、６１…第２固定部、７１…被挟持部、７２…光軸方向押圧部、７３…直交方向押圧部、７４…延出部（当接部）、４１１…光源ランプ、４１２…リフレクタ、４１４…ランプハウジング（光源装置用筐体）、４１７…張出部、４５１…光変調装置、５４１…第１固定部。
【図１】
2009211974.tif 000003
【図２】
2009211974.tif 000004
【図３】
2009211974.tif 000005
【図４】
2009211974.tif 000006
【図５】
2009211974.tif 000007
【図６】
2009211974.tif 000008
【図７】
2009211974.tif 000009
【図８】
2009211974.tif 000010
【図９】
2009211974.tif 000011